(57)【要約】  本発明にかかる測色計２１は、複数のプローブ部Ｐと、複数のプローブ部Ｐの測定動作を制御するとともに複数のプローブ部Ｐが脱着可能に構成された本体部２２とを備え、これら複数のプローブ部Ｐは、分光型のプローブ部Ｐｎおよび刺激値直読型のプローブ部Ｐ１〜Ｐｎ−１を含む。したがって、このような構成の測色計２１は、分光型のプローブ部Ｐｎの測定結果に基づいて刺激値直読型のプローブ部Ｐ１〜Ｐｎ−１を容易に校正することができ、本体部２２の制御によって、測定対象物に応じて、刺激値直読型のプローブ部Ｐ１〜Ｐｎ−１と分光型のプローブ部Ｐｎとを選択的にまたは同時に測定の実行を行うことが可能である。
2010021258.tif 000002
【特許請求の範囲】
【請求項１】
複数のプローブ部と、前記複数のプローブ部に対して共通な本体部とを備える測光測色装置であって、
前記複数のプローブ部のうちの一部は、分光型の第１光学センサ部を備える分光型の第１プローブ部であるとともに、その残余は、刺激値直読型の第２光学センサ部を備える刺激値直読型の第２プローブ部であり、
前記第１および第２プローブ部のそれぞれは、前記本体部との間に介在するインタフェイス部と、前記本体部からの測定指示に応答して測定動作を行う制御部とを備え、
前記本体部は、前記複数のプローブ部のそれぞれに、前記インタフェイス部を介して、前記測定指示を送る本体制御部を備えること
を特徴とする測光測色装置。
【請求項２】
複数のプローブ部と、前記複数のプローブ部に個別にそれぞれ対応し、相互に連携する複数の本体部とを備える測光測色装置であって、
前記複数のプローブ部のうちの一部は、分光型の第１光学センサ部を備える分光型の第１プローブ部であるとともに、その残余は、刺激値直読型の第２光学センサ部を備える刺激値直読型の第２プローブ部であり、
前記第１および第２プローブ部のそれぞれは、対応する前記本体部との間に介在するインタフェイス部と、対応する前記本体部からの測定指示に応答して測定動作を行う制御部とを備え、
前記複数の本体部のそれぞれは、本体インタフェイス部と、対応する前記プローブ部に、前記インタフェイス部を介して、前記測定指示を送る本体制御部を備えること
を特徴とする測光測色装置。
【請求項３】
前記第１および第２プローブ部のそれぞれにおける各制御部は、前記光学センサ部の種別を表す識別信号を、対応する前記本体部へ出力し、
前記本体制御部は、前記インタフェイス部を介して受信された前記識別信号から光学センサ部の種別を検出し、検出された種別に応じて校正動作または測定動作を制御すること
を特徴とする請求項１記載の測光測色装置。
【請求項４】
前記本体制御部は、前記識別信号から分光型のプローブ部を検出した場合に、その測定値を用いて刺激値直読型のプローブ部の校正を実行する校正モードを選択可能にすること
を特徴とする請求項３記載の測光測色装置。
【請求項５】
前記本体制御部は、複数の刺激値直読型のプローブ部を検出した場合に、該刺激値直読型のプローブ部のいずれか１つの測定値を用いて、残余の校正を実行する校正モードを選択可能にすること
を特徴とする請求項３記載の測光測色装置。
【請求項６】
前記本体制御部は、前記識別信号から分光型のプローブ部を検出した場合に、刺激値直読型のプローブ部による測定と、該分光型のプローブ部による測定とを、測定対象光の測光測色情報に応じて切換えるモードを選択可能にすること
を特徴とする請求項３記載の測光測色装置。
【請求項７】
前記第１および第２プローブ部のそれぞれにおけるインタフェイス部と前記本体インタフェイス部とは、前記光学センサ部の出力信号を送信する信号線と同期信号線とを介して接続されていること
を特徴とする請求項１記載の測光測色装置。
【請求項８】
前記第１および第２プローブ部のそれぞれにおけるインタフェイス部と、対応する前記本体インタフェイス部とは、前記光学センサ部の出力信号を送信する信号線と同期信号線とを介して接続されていること
を特徴とする請求項２記載の測光測色装置。
【発明の詳細な説明】
【技術分野】
【０００１】
本発明は、測光測色装置に関し、特に色度計や分光測色計で、複数のプローブ部を有し、多点を同時に測定することができる測光測色装置に関する。
【背景技術】
【０００２】
従来、測定プローブを装置本体に接続して使用する測光測色装置では、測定前に、接続した測定プローブで基準測定光が測定され、この測定値から校正データが算出されて装置本体に記録され、測定時にこの校正データを使って色彩値が算出されている（例えば特許文献１（Ｄ１）参照）。【０００３】
一般に、刺激値直読型のプローブ部は、フィルタ部とセンサ部とを備えて構成される３個の光学センサを持ち、これら各々の分光応答度は、フィルタ部の分光透過率およびセンサ部の分光応答度に基づいて決定される。この分光応答度は、いわゆるＣＩＥ１９３１で規定された等色関数と完全に同じである場合には、前記刺激値直読型のプローブ部を用いて求めた色度および輝度は、絶対値誤差を含まない。ところが、通常、刺激値直読式の色彩計の分光応答度を前記等色関数に完全に一致させることできず、それらの差が絶対値誤差の原因となる。【０００４】
そのため、この絶対値誤差を低減するために、より高精度な分光型測定器を用いることによって刺激値直読型の測定器を校正する手法が用いられている（例えば特許文献２（Ｄ２）参照）。この手法によって、例えば工場出荷時や定期的な点検時に、分光型測定器等の絶対値誤差が比較的小さい測定器を用いることによって測光測色装置の校正が行われてきた。【０００５】
一方、分光型の測定器は、回折格子等の分散素子と、アレイ状に配設された複数の光電変換素子とを備えるポリクロメータを持ち、このような分光型の測定器は、刺激値直読型の測光測色装置に比べて、より高精度な測定が可能である反面、相対的に受光感度が低い場合がある。このため、このような分光型の測定器は、例えば低輝度の表示装置を測定する場合には、不利になることがあった。【０００６】
上述のような従来技術では、校正の際に、測色計に、パーソナルコンピュータおよび分光型の測定器を接続し、個々に測定を行わせてデータを転送し、そして、校正係数の演算や設定を行う必要があり、作業が非常に煩雑であった。【０００７】
また、測定対象光の輝度に応じて分光型の測定器と刺激値直読型の測定器とを使い分ける場合や、これら２種類の測定器を用いて同時に評価したい場合等では、２台の測定器が必要であり、測定器の接続、設定および測定作業も煩雑となる。
【先行技術文献】
【特許文献】
【０００８】
【特許文献１】特開平３−４４５１１号公報
【特許文献２】特開平９−４９７６５号公報
【発明の概要】
【０００９】
本発明は、上述の事情に鑑みて為された発明であり、その目的は、複数のプローブ部を有する測光測色装置において、刺激値直読型のプローブ部の校正を容易に行うことができ、さらには、測定対象物に応じて、刺激値直読型のプローブ部と分光型のプローブ部とを選択的にまたは同時に測定の実行を可能とする測光測色装置を提供することである。
【００１０】
本発明にかかる測光測色装置は、複数のプローブ部と、前記複数のプローブ部の測定動作を制御するとともに前記複数のプローブ部が脱着可能に構成された１または複数の本体部とを備え、前記複数のプローブ部は、分光型のプローブ部および刺激値直読型のプローブ部を含む。したがって、このような構成の測光測色装置は、分光型のプローブ部の測定結果に基づいて刺激値直読型のプローブ部を容易に校正することができ、本体部の制御によって、測定対象物に応じて、刺激値直読型のプローブ部と分光型のプローブ部とを選択的にまたは同時に測定の実行を行うことが可能である。
【００１１】
上記並びにその他の本発明の目的、特徴及び利点は、以下の詳細な記載と添付図面から明らかになるであろう。
【図面の簡単な説明】
【００１２】
【図１】本発明の実施の第１形態に係る測色計の電気的構成を示すブロック図である。
【図２】図１に示す測色計の分光型プローブ部における光学センサ部の構成を模式的に示す図である。
【図３】図１に示す測色計において、測定動作および校正動作を制御する制御部の機能ブロック図である。
【図４】図３に示す制御部による測定動作および校正動作を説明するためのフローチャートである。
【図５】刺激値直読型の測定器と分光型の測定器との分光応答度を説明するためのグラフである。
【図６】プローブ部の切換え測定動作を説明するためのブロック図である。
【図７】図６に示す構成の測色計において、ディスプレイのホワイトバランス調整を説明するための入力信号レベル変化に対する輝度変化を示すグラフであり、調整前の状態を示すものである。
【図８】前記ホワイトバランス調整の調整中におけるディスプレイ表示画面およびプローブ配置を示す図である。
【図９】前記ホワイトバランス調整を説明するための入力信号レベル変化に対する輝度変化を示すグラフであり、調整中の状態を示すものである。
【図１０】前記ホワイトバランス調整を説明するための入力信号レベル変化に対する輝度変化を示すグラフであり、調整後の状態を示すものである。
【図１１】ディスプレイのクロストーク量を測定する場合における表示画面およびプローブ配置を示す図である。
【図１２】本発明の実施の第２形態に係る測色計の電気的構成を示すブロック図である。
【図１３】第２形態において、相互に異なる分光応答度のセンサを複数組合わせて所望とする分光応答度を有するセンサを構成する方法を説明するためのグラフである。
【図１４】第２形態において、相互に異なる分光応答度のセンサを複数組合わせて所望とする分光応答度を有するセンサを構成する方法を説明するためのグラフである。
【図１５】本発明の実施の第３形態に係る測色計の電気的構成を示すブロック図である。
【図１６】本発明の実施の第３形態に係る測色計の電気的構成を示すブロック図である。
【図１７】本発明の実施の第４形態に係る測色計の動作を説明するためのフローチャートである。
【図１８】多点測定可能な測色計の電気的構成を示すブロック図である。
【図１９】刺激値直読型のプローブ部における光学センサ部の構成を模式的に示す図である。
【図２０】刺激値直読型の測定器の分光応答度を示すグラフである。
【図２１】図１８で示す測色計における刺激値直読型のプローブ部の校正方法を説明するためのブロック図である。
【発明を実施するための形態】
【００１３】
以下、本発明にかかる実施の一形態を図面に基づいて説明する。なお、各図において同一の符号を付した構成は、同一の構成であることを示し、適宜、その説明を省略する。また、本明細書において、総称する場合には添え字を省略した参照符号で示し、個別の構成を指す場合には添え字を付した参照符号で示す。
【００１４】
まず、測色計の校正について、概説する。図１８は、多点測定可能な測色計の電気的構成を示すブロック図である。図１９は、刺激値直読型のプローブ部における光学センサ部の構成を模式的に示す図である。図２０は、刺激値直読型の測定器の分光応答度を示すグラフである。図２１は、図１８で示す測色計における刺激値直読型のプローブ部の校正方法を説明するためのブロック図である。
【００１５】
図１８に示す測色計１は、複数の刺激値直読型（フィルタ型）のプローブ部ｐ１，ｐ２，・・・，ｐｎを有し、それらがケーブルｌ１，ｌ２，・・・，ｌｎを介して、これら複数のプローブｐに対し共通の本体部２に接続されて構成されている。そして、ディスプレイ等の被測定光源ｍに対して、各プローブ部ｐが被測定光源ｍにおける複数の測定部位ｍ１，ｍ２，・・・，ｍｎにそれぞれ正対するように振り向けられ、これら各プローブ部ｐによって輝度値および測色値が同時に測定される。
【００１６】
前記刺激値直読型のプローブ部ｐは、光学センサ部３と、信号増幅部４と、インタフェイス部５とを備えている。この光学センサ部３は、図１９で示すように、対物レンズ３ｂと、フィルタ部３ｃと、センサ部３ｄとを備えて構成されている。前記被測定光源ｍから発光された光３ａは、対物レンズ３ｂを通じてフィルタ部３ｃからセンサ部３ｄに集光される。フィルタ部３ｃには、３つの光学フィルタ３ｃｘ，３ｃｙ，３ｃｚが周方向に順に配置され、そして、センサ部３ｄにも、３つのセンサ３ｄｘ，３ｄｙ，３ｄｚが周方向に順に配置されており、これらセンサ部３ｄにおけるセンサ３ｄｘ，３ｄｙ，３ｄｚのそれぞれとフィルタ部３ｃにおける光学フィルタ３ｃｘ，３ｃｙ，３ｃｚのそれぞれとの組合わせによって、光学センサ部３は、前記ＣＩＥ１９３１で規定された等色関数ｘ（λ），ｙ（λ），ｚ（λ）に近似した分光応答度（図２０の破線を参照）をもつように設計されている。各センサ３ｄｘ，３ｄｙ，３ｄｚの出力は、信号増幅部４で増幅された後、インタフェイス部５を通じて本体部２へ出力される。本体部２は、この光学センサ部３から入力される信号をインタフェイス部６で受信し、アナログ／デジタル変換部（Ａ／Ｄ部）７によってデジタル化される。
【００１７】
ここで得られる各センサ３ｄｘ，３ｄｙ，３ｄｚの出力に対応する各デジタル値Ｘ，Ｙ，Ｚは、被測定光源ｍの分光放射輝度をＳ（λ）とし、センサ３ｄｘ，３ｄｙ，３ｄｚの各分光応答度をｘ’（λ），ｙ’（λ），ｚ’（λ）とする場合に、式（１−１）ないし式（１−３）によって表される。
Ｘ＝∫Ｓ（λ）・ｘ’（λ）ｄλ      ・・・（１−１）
Ｙ＝∫Ｓ（λ）・ｙ’（λ）ｄλ      ・・・（１−２）
Ｚ＝∫Ｓ（λ）・ｚ’（λ）ｄλ      ・・・（１−３）
ここで、λは、波長であり、その波長範囲は、可視光の波長領域である。そして、得られたデジタル値Ｘ，Ｙ，Ｚを用いて、制御部８は、式（２−１）ないし式（２−３）による演算を行うことによって色度ｘ，ｙおよび輝度Ｌｖを算出することができる。
ｘ＝Ｘ／（Ｘ＋Ｙ＋Ｚ）      ・・・（２−１）
ｙ＝Ｙ／（Ｘ＋Ｙ＋Ｚ）      ・・・（２−２）
Ｌｖ＝Ｙ      ・・・（２−３）
【００１８】
上述の測定および演算は、操作部９からの操作に応答して複数のプローブ部ｐについて順次に行われ、その算出結果は、メモリ１０に格納され、前記操作部９からの操作によって、制御部９は、選択的に或いは纏めて、表示部１１に表示する。
【００１９】
ここで、一般に、刺激値直読型のプローブ部ｐの各々の分光応答度は、前記フィルタ部３ｃの分光透過率と、センサ部３ｄの分光応答度との合成によって決定される。この分光応答度が、前記ＣＩＥ１９３１で規定された等色関数と完全に同じであれば、刺激値直読型のプローブ部ｐを用いて求めた色度および輝度には、絶対値誤差が生じない。しかしながら、図２０に示すように、刺激値直読式の色彩計１の分光応答度（実線）が等色関数（破線）に完全に一致するように設計することは、難しく、そのため、それらの差が、絶対値誤差の原因となる。
【００２０】
このため、この誤差を低減するために、より高精度な分光型の測定器を用いることによって刺激値直読型の測定器を校正する手法が用いられる。この手法により、工場出荷時や定期的な点検時に、分光型の測定器等のように絶対値誤差の比較的小さい測定器を用いる校正が行われる。以下に、図２１に示す刺激値直読型のプローブ部ｐ１〜ｐｎと本体部２とを備える測定器１に対し、分光型の測定器１２を利用することによって校正する場合の、データ処理の流れについて説明する。分光型の測定器１２は、校正を行うパーソナルコンピュータ（ＰＣ）１３に直結され、測定器１の本体部２は、前記パーソナルコンピュータ１３に、そのインタフェイス部１４を介して接続される。同一の前記被測定光源ｍは、分光型の測定器１２と各刺激値直読型のプローブ部ｐとによってそれぞれ測定され、各測定値を、それぞれ（Ｘ０，Ｙ０，Ｚ０），（Ｘ１，Ｙ１，Ｚ１）とし、パーソナルコンピュータ１３は、これら各測定値（Ｘ０，Ｙ０，Ｚ０），（Ｘ１，Ｙ１，Ｚ１）を取り込む。
【００２１】
そして、パーソナルコンピュータ１３は、誤差の大きい測定値（Ｘ１，Ｙ１，Ｚ１）を、誤差の小さい測定値（Ｘ０，Ｙ０，Ｚ０）に合わせるために、校正係数ＡＸ，ＡＹ，ＡＺを、式（３−１）ないし式（３−３）の演算によって算出し、本体部２のメモリ１０に格納する。
ＡＸ＝Ｘ０／Ｘ１      ・・・（３−１）
ＡＹ＝Ｙ０／Ｙ１      ・・・（３−２）
ＡＺ＝Ｚ０／Ｚ１      ・・・（３−３）
【００２２】
これ以後、刺激値直読型のプローブ部ｐにおける測定値は、校正前の値（Ｘ１，Ｙ１，Ｚ１）に、以下の式（４−１）ないし式（４−３）で示すように、それぞれ校正係数（ＡＸ，ＡＹ，ＡＺ）を乗じた校正値（Ｘ２，Ｙ２，Ｚ２）で例えば表示部１１等に出力される。
Ｘ２＝Ｘ１×ＡＸ      ・・・（４−１）
Ｙ２＝Ｙ１×ＡＹ      ・・・（４−２）
Ｚ２＝Ｚ１×ＡＺ      ・・・（４−３）
【００２３】
このような刺激値直読型のプローブ部ｐを備える測色計１の校正手法を踏まえて、以下、実施形態について説明する。
【００２４】
（実施の形態１）
図１は、本発明の実施の第１形態に係る測色計の電気的構成を示すブロック図である。図２は、図１に示す測色計の分光型プローブ部における光学センサ部の構成を模式的に示す図である。図３は、図１に示す測色計において、測定動作および校正動作を制御する制御部の機能ブロック図である。
【００２５】
図１において、測色計２１は、複数のプローブ部Ｐ（Ｐ１，Ｐ２，・・・，Ｐｎ）と、これら複数のプローブ部Ｐに対して共通な本体部２２とを備えている。そして、注目すべきは、この測色計２１では、これら複数のプローブ部Ｐの一部（図１に示す例ではプローブ部Ｐｎ）が分光型のプローブであり、残余のプローブ部Ｐ（図１に示す例ではプローブ部Ｐ１〜Ｐｎ−１）が刺激値直読型（フィルタ型）のプローブであることである。これらプローブ部Ｐは、ケーブルＬ１，Ｌ２，・・・，Ｌｎから脱着可能なコネクタＱ１，Ｑ２，・・・，Ｑｎを介して、前記本体部２２のインタフェイス部２８に接続されている。そして、この測色計２１では、例えばディスプレイ等の被測定光源Ｍに対して、各プローブ部Ｐが被測定光源Ｍの複数の測定部位Ｍ１，Ｍ２，・・・，Ｍｎ−１にそれぞれ正対するように振り向けられ、輝度値および測色値が同時に測定される。
【００２６】
前記刺激値直読型のプローブ部Ｐ１〜Ｐｎ−１の光学センサ部３は、例えば、図１９に示すように、対物レンズ３ｂと、フィルタ部３ｃと、センサ部３ｄとを備え、上述したように構成される。一方、分光型のプローブ部Ｐｎは、図２に示すように、対物レンズ２３ｂと、照明レンズ２３ｃと、回折格子２３ｄと、集光レンズ２３ｅと、ＣＣＤリニアセンサ２３ｆとを備えて構成されている。前記被測定光源Ｍから発光された光２３ａは、対物レンズ２３ｂを通じて集光され、さらに照明レンズ２３ｃを通じて平行光とされて回折格子２３ｄへ照射される。回折格子２３ｄで反射された反射光は、集光レンズ２３ｅを介してＣＣＤリニアセンサ２３ｆ上に集光される。ここで、回折格子２３ｄでの反射光の反射角は、波長に依存して異なり、このため、ＣＣＤリニアセンサ２３ｆ上の結像位置は、波長毎に異なることになる。したがって、前記ＣＣＤリニアセンサ２３ｆの画素出力は、それぞれ波長分解された光強度、すなわち分光エネルギーに比例することになる。例えば、回折格子２３ｄで分光された可視波長範囲３８０〜７８０ｎｍ（幅で４００ｎｍ）の光を受光するように、ＣＣＤリニアセンサ２３ｆ上に４１個の画素を配置する場合には、このＣＣＤリニアセンサ２３ｆによって１０ｎｍピッチの分光データが得られる。
【００２７】
前記ＣＣＤリニアセンサ２３ｆの各画素出力は、信号増幅部２４でそれぞれ増幅される。ここで、注目すべきは、この増幅後の各画素出力が、アナログ／デジタル変換部（Ａ／Ｄ部）２５でアナログ信号からデジタル信号に変換され、制御部２６で、このデジタル信号の各画素出力に基づいて、被測定光源Ｍの分光放射輝度Ｓ’（λ）が算出された後、予め定められる信号形式に変換され、インタフェイス部２７から前記本体部２２へ出力されることである。測定結果を表す前記分光放射輝度Ｓ’（λ）の信号には、前記光学センサ部２３の種別（分光型）を表す信号が付加される。あるいは、この光学センサ部２３の種別（分光型）を表す信号が、電源投入の際やコネクタＱへの接続の際に１度だけ送信されるように、測色計２１は、構成されてもよい。制御部２６は、本体部２２からの測定指示に応答して測定動作を行う。メモリ３３は、例えばメーカ等で測定され、前記分光放射輝度Ｓ’（λ）を算出する際の校正係数等を格納している。
【００２８】
また、これに対応して、刺激値直読型のプローブ部Ｐ１〜Ｐｎ−１でも、前記光学センサ部３におけるセンサ部３ｄの各センサ３ｄｘ，３ｄｙ，３ｄｚからの分光出力信号は、信号増幅部４でそれぞれ増幅された後に、前記式（１−１）ないし式（１−３）によるデジタル値Ｘ，Ｙ，Ｚとなるようにアナログ／デジタル変換部２５’でデジタル信号に変換されて制御部２６’に入力される。制御部２６’では、これらデジタル値Ｘ，Ｙ，Ｚから前記式（２−１）ないし式（２−３）に従って色度ｘ，ｙおよび輝度Ｌｖが算出され、前記予め定められる信号形式に変換され、インタフェイス部２７から前記本体部２２へ出力される。測定結果を表す前記色度ｘ，ｙおよび輝度Ｌｖの信号には、前記光学センサ部３の種別（刺激値直読型）を表す信号が付加される。あるいは、この光学センサ部３の種別（刺激値直読型）を表す信号が電源投入の際やコネクタＱへの接続の際に１度だけ送信されるように、測色計２１は、構成されてもよい。
【００２９】
そして、本体部２２は、各プローブ部Ｐのインタフェイス部２７と通信を行うインタフェイス部２８と、測定および校正動作を制御する制御部２９と、測定結果を表示する表示部３０と、測定結果等を記憶するメモリ３１と、入力操作が行われる操作部３２とを備えて構成される。ここで、分光型のプローブ部Ｐｎの制御部２６で求められた分光放射輝度Ｓ’（λ）は、測定値としてそのまま用いられるとともに、校正モードでは、前記刺激値直読型のプローブ部Ｐ１〜Ｐｎ−１の制御部２６’が色度ｘ，ｙおよび輝度Ｌｖを算出する際に使用する前記校正係数ＡＸ，ＡＹ，ＡＺを求めるために使用される。
【００３０】
この校正係数ＡＸ，ＡＹ，ＡＺの演算は、以下のようにして行われる。まず、等色関数をｘ（λ），ｙ（λ），ｚ（λ）とする場合に、制御部２９は、式（５−１）ないし式（５−３）の演算を行うことによって、前記刺激値直読型のプローブ部Ｐ１〜Ｐｎ−１と同様に、デジタル値の測定値Ｘ，Ｙ，Ｚを算出することができる。
Ｘ＝ΣＳ’（λ）・ｘ（λ）・Δλ      ・・・（５−１）
Ｙ＝ΣＳ’（λ）・ｙ（λ）・Δλ      ・・・（５−２）
Ｚ＝ΣＳ’（λ）・ｚ（λ）・Δλ      ・・・（５−３）
ここで、λは、波長であり、波長間隔は、ＣＣＤリニアセンサ２３ｆの波長分解能であり、そして、波長範囲は、可視光の波長領域である。
【００３１】
続いて、前記刺激値直読型のプローブ部Ｐ１〜Ｐｎ−１と同様に、式（２−１）ないし式（２−３）を用いることによって、色度ｘ，ｙおよび輝度Ｌｖが算出される。
【００３２】
一方、出荷調整時などで、分光放射分布が既知（Ｓ（λ））の光源が測定され、その時の上記分光型のプローブ部Ｐｎの分光測定値がＳ’’（λ）であった場合に、校正係数Ａ（λ）は、以下の式（６）で求められ、前述のようにメモリ３３に、該分光型のプローブ部Ｐｎの識別情報と共に格納されている。
Ａ（λ）＝Ｓ（λ）／Ｓ’’（λ）      ・・・（６）
【００３３】
したがって、任意の被測定光源Ｍに対して得られた分光測定値Ｓ’’’（λ）に対して、分光測定値Ｓ’’’（λ）は、以下の式（７）によって補正され、正確な分光測定値Ｓ’（λ）が本体部２２に入力されていることになる。
Ｓ’（λ）＝Ａ（λ）×Ｓ’’’（λ）      ・・・（７）
【００３４】
こうして得られる分光型のプローブ部Ｐｎによる正確な分光測定値Ｓ’（λ）に対して、制御部２９は、刺激値直読型のプローブ部Ｐ１〜Ｐｎ−１の測定値を分光型のプローブＰｎの測定値で校正する校正モードとなると、刺激値直読型プローブ部Ｐ１〜Ｐｎ−１でのそのものの測定値Ｘ１，Ｙ１，Ｚ１をインタフェイス部２７，２８を介して取得する一方、前記分光測定値Ｓ’（λ）から式（５−１）ないし式（５−３）によって測定値Ｘ，Ｙ，Ｚを求め、その結果を前記測定値Ｘ０，Ｙ０，Ｚ０として、式（３−１）ないし（３−３）を用いることによって、刺激値直読型のプローブ部Ｐ１〜Ｐｎ−１の前記校正係数（ＡＸ，ＡＹ，ＡＺ）を得る。制御部２９は、この得られた校正係数（ＡＸ，ＡＹ，ＡＺ）を、インタフェイス部２８，２７を介して、制御部２６’によってメモリ３３に設定（格納）する。
【００３５】
これによって、刺激値直読型のプローブ部Ｐ１〜Ｐｎ−１での誤差要因であった光学センサ部２３の分光応答度と等色関数との差は、ほとんど発生しないようにすることができる。したがって、このような構成の測色計２１では、複数の刺激値直読型のプローブ部Ｐ１〜Ｐｎ−１で誤差の小さい測定が可能となる。
【００３６】
このような制御部２９は、例えば、図３に示すように、機能的に、プローブ判別部２９ａと、測定プローブ選択部２９ｂと、操作ＳＷ検知部２９ｃと、測定（タイミング）制御部２９ｄと、データ入力部（Ａ／Ｄ測定値読み込み）２９ｅと、メモリ制御部（転送部、読み出し）２９ｆと、演算部２９ｇと、輝度判定部２９ｈと、（ユーザ）校正制御部２９ｉと、表示制御部２９ｊとを備えて構成される。
【００３７】
プローブ判別部２９ａは、コネクタＱに装着されたプローブ部Ｐの種類（刺激値直読型（Ｐ１〜Ｐｎ−１）または分光型（Ｐｎ））を、プローブ部Ｐの制御部２６，２６’との交信データから判別する。測定プローブ選択部２９ｂは、後述するプローブ切換え測定時に、輝度判定部２９ｈ等の判定結果から、適正なプローブ部Ｐを選択する。操作ＳＷ検知部２９ｃは、測定ボタン、モード選択スイッチ、表示切替スイッチ等の、操作部３２の各部の状態を検知する。測定（タイミング）制御部２９ｄは、判別したプローブ部Ｐによる測定（タイミング）を制御する。例えば、測定開始は、前記測定ボタン（ＳＷ）のＯＮ信号に応答して行われる。データ入力部２９ｅは、プローブ部Ｐから送出される測定値を本体部２２側で読み込む制御（Ａ／Ｄ測定値読み込み制御）を行う。メモリ制御部２９ｆは、読み込んだ測定値をメモリ３１に転送するとともに、メモリ３１に記憶した測定値や校正値を適宜に読み出す。
【００３８】
演算部２９ｇは、測定値の予め定められる基準値との差を算出する。この差は、ホワイトバランス調整時にユーザが使用する。輝度判定部２９ｈは、前述のようにプローブ切換え測定を行う際に、被測定光源Ｍの輝度を閾値と比較する。校正制御部２９ｉは、前記校正モードが実行されると、分光型のプローブ部Ｐｎの測定値を用いて、刺激値直読型のプローブ部Ｐ１〜Ｐｎ−１の校正係数ＡＸ，ＡＹ，ＡＺを算出し、メモリ３３に保存させる。前記表示制御部２９ｊは、測定演算値、測定モード、装置の状態（測定中、待機中など）を、表示部３０に表示する制御を行う。
【００３９】
図４は、図３に示す制御部による測定動作および校正動作を説明するためのフローチャートである。図４において、本体部２２の電源が投入されると、ステップＳ１が実行され、プローブ判別部２９ａは、コネクタＱに装着されたプローブ部Ｐの種類を判別し、刺激値直読型のプローブ部Ｐ１〜Ｐｎ−１が装着されていない場合にはステップＳ２が実行され、分光型のプローブ部Ｐｎが装着されているか否かが判断され、いずれのプローブ部Ｐも装着されていない場合には前記ステップＳ１に戻って待機し、ステップＳ２で分光型のプローブ部Ｐｎのみが装着されている場合はステップＳ３が実行され、分光型のプローブ部Ｐｎのみの測定モードが設定される。一方、前記ステップＳ１で刺激値直読型のプローブ部Ｐ１〜Ｐｎ−１が装着されている場合も、さらにステップＳ１２で分光型のプローブ部Ｐｎが装着されているか否かが判断され、装着されていない場合、すなわち刺激値直読型プローブ部Ｐ１〜Ｐｎ−１のみが装着されている場合はステップＳ１３が実行され、該刺激値直読型のプローブ部Ｐ１〜Ｐｎ−１のみの測定モードが設定される。
【００４０】
分光型のプローブ部Ｐｎでの測定モードでは、ステップＳ４で操作ＳＷ検知部２９ｃによって操作部３２の測定ボタン（ＳＷ）の操作が検出されるまで待機され、操作されると、ステップＳ５で、測定（タイミング）制御部２９ｄは、判別した分光型プローブ部Ｐｎに測定を行わせ、測定結果（分光測定値Ｓ’（λ））がデータ入力部２９ｅからメモリ制御部（転送部、読み出し）２９ｆを介して入力され、ステップＳ７で、表示制御部２９ｊが表示部３０に表示させるとともに、ステップＳ８でメモリ３１に格納される。ステップＳ９では、分光型のプローブ部Ｐｎが複数装着されている場合に、その総てについて測定が行われたか否かが判断され、未測定のプローブ部Ｐが残っている場合は前記ステップＳ４に戻って測定を繰返し、総ての測定を終了した場合にはステップＳ１０で、電源スイッチが遮断されたか否かが判断され、電源遮断の場合には測定動作が終了され、電源遮断でない場合には前記ステップＳ１に戻って測定動作を継続する。刺激値直読型のプローブ部Ｐ１〜Ｐｎ−１での測定モードでも、前記ステップＳ４〜Ｓ９と同様のステップＳ１４〜Ｓ１９の処理が行われ、続いて、ステップＳ１０が実行される。
【００４１】
これに対して、前記ステップＳ１からステップＳ１２に至る処理において、刺激値直読型のプローブ部Ｐ１〜Ｐｎ−１と分光型のプローブ部Ｐｎとの両方が装着されている場合は、ステップＳ２１が実行され、操作ＳＷ検知部２９ｃは、操作部３２のモード選択スイッチで校正モードが選択されているか否かを判断し、選択されている場合にはステップＳ２２が実行される。ステップＳ２２では、先ず測定（タイミング）制御部２９ｄは、刺激値直読型のプローブ部Ｐ１〜Ｐｎ−１に測定を行わせ、その測定結果を取込み、次にステップＳ２３で分光型のプローブ部Ｐｎに測定を行わせ、その測定結果を取込む。ステップＳ２４では、校正制御部２９ｉは、２種類のプローブ部Ｐ１〜Ｐｎ−１；Ｐｎの測定値を用いて、前述のように、刺激値直読型プローブ部Ｐ１〜Ｐｎ−１の校正値を算出し、ステップＳ２５で刺激値直読型のプローブ部Ｐ１〜Ｐｎ−１に保存させる。ステップＳ２６では、刺激値直読型プローブ部Ｐ１〜Ｐｎ−１が複数装着されている場合に、その総てについて校正係数ＡＸ，ＡＹ，ＡＺが得られたか否かが判断され、未校正のプローブ部が残っている場合には前記ステップＳ２２に戻って測定を繰返し（この場合、分光型のプローブ部Ｐｎに関する測定のステップＳ２３はパスされてよい。）、総ての校正を終了した場合にはステップＳ２７が実行される。
【００４２】
ステップＳ２７では、操作ＳＷ検知部２９ｃで、操作部３２の測定ボタン（ＳＷ）が操作されるまで待機し、操作されると、ステップＳ２８で、測定（タイミング）制御部２９ｄは、先ず刺激値直読型のプローブ部Ｐ１〜Ｐｎ−１の何れかで予備測定を行わせ、その測定結果から、ステップＳ２９で、演算部２９ｇが輝度Ｌｖを演算し、ステップＳ３０では、前記輝度判定部２９ｈにおいて、その輝度Ｌｖが前記閾値と比較され、閾値以上である場合は前記ステップＳ３に移って分光型のプローブ部Ｐｎで測定を行い、閾値未満である場合は前記ステップＳ１３に移って刺激値直読型のプローブ部Ｐ１〜Ｐｎ−１で測定を行う。
【００４３】
図５は、刺激値直読型の測定器と分光型の測定器との分光応答度を説明するためのグラフである。図５の横軸は、輝度であり、その縦軸は、誤差である。図６は、プローブ部の切換え測定動作を説明するためのブロック図である。図７は、図６に示す構成の測色計において、ディスプレイのホワイトバランス調整を説明するための入力信号レベル変化に対する輝度変化を示すグラフであり、調整前の状態を示すものである。図８は、前記ホワイトバランス調整の調整中におけるディスプレイ表示画面およびプローブ配置を示す図である。図９は、前記ホワイトバランス調整を説明するための入力信号レベル変化に対する輝度変化を示すグラフであり、調整中の状態を示すものである。図１０は、前記ホワイトバランス調整を説明するための入力信号レベル変化に対する輝度変化を示すグラフであり、調整後の状態を示すものである。図７、図９および図１０の各横軸は、入力信号であり、それらの各縦軸は、輝度である。
【００４４】
ここで、測光装置は、図１９と図２とで示すように、光学センサ部３，２３の光学構成の違いから、刺激値直読型の測定器と分光型の測定器とに分類することができる。一般に、前者は、光学系が簡素で、エネルギーロスが少なく、図５において参照符号α１で示すように、高感度であるものの、測定誤差が大きく、かつ機器間の測定値差も大きい。これに対して、後者は、図５において参照符号α２で示すように、測定誤差が小さく、かつ、機器間の測定値差も小さいが、光学系が複雑なために感度が低い。また、高い輝度の光源を測定する場合には、光学感度の低い分光型の測定器においても充分な繰り返し性が確保されるが、光源の輝度が低くなるにつれて、繰り返し誤差が問題となる。しかしながら、光学感度の低い分光型の測定器では繰り返し誤差が大きい輝度範囲においても、刺激値直読型の測定器では、光学感度が高いため、実用上、問題とならない程度に小さい繰り返し誤差を確保できる場合がある。
【００４５】
このため、例えば、図６で示すように、分光型のプローブ部Ｐｎと刺激値直読型のプローブ部Ｐ１とを近接配置（被測定光源Ｍ上で輝度、色度が同一となる領域に対して両プローブＰ１、Ｐｎを設置）するように、測色計２１が構成されてもよい。このような測色計２１では、図５で示すように所定の輝度閾値Ｌｃが設定され、この輝度閾値Ｌｃが本体部２２のメモリ３１に格納され、その閾値Ｌｃ以上である場合は分光型のプローブ部Ｐｎで測定が行われ、閾値Ｌｃ未満である場合は刺激値直読型のプローブ部Ｐ１で測定が行われる。このような分光型のプローブ部Ｐｎと刺激値直読型のプローブ部Ｐ１との使い分けを行うことによって、図６に示す構成の測色計２１は、刺激値直読型と分光型との性能の長短に鑑みて、全輝度範囲で誤差を最小にする測定を１台の装置で実現することができる。前記輝度閾値Ｌｃは、例えば、図５に示すように、刺激値直読型のプローブ部Ｐ１における誤差特性α１と分光型のプローブ部Ｐｎにおける誤差特性α２との交点における輝度値に設定される。
【００４６】
以下に、図６で示すように、分光型プローブ部Ｐｎと刺激値直読型プローブ部Ｐ１とを併用する測定例として、ディスプレイのホワイトバランス調整について説明する。ホワイトバランス調整とは、Ｒｅｄ，Ｇｒｅｅｎ，Ｂｌｕｅで同じ信号を入力した場合、高輝度から低輝度まで色度が一定になるように、ディスプレイ側で入力信号と発光量との関係を調整することを言う。調整パラメータとしては、入力信号に対して発光量を一律上乗せするオフセット調整のオフセット調整パラメータと、入力信号に対する発光量の割合（傾き）を増減させるドライブ調整のドライブ調整パラメータとがある。
【００４７】
たとえば、調整前は、前記Ｒｅｄ，Ｇｒｅｅｎ，Ｂｌｕｅの入力信号と発光量との関係が、図７に示すように異なっているとする。このようなディスプレイに対して、前記オフセット調整とドライブ調整とを併用した調整過程は、以下のようになる。作業開始前等で最初のディスプレイの調整を行う前に、先ず、画面全体に高輝度の白色パターンが表示され、近接配置した両プローブ部Ｐ１，Ｐｎで測定がそれぞれ行われ、各測定値が保存される。両測定値を用いて、前記式（３−１）ないし式（３−３）に従って刺激値直読型のプローブ部Ｐ１に対する校正係数ＡＸ，ＡＹ，ＡＺが算出され、保存される。これ以後、作業終了まで、刺激値直読型のプローブ部Ｐ１の測定値Ｘ１，Ｙ１，Ｚ１には、この校正係数ＡＸ，ＡＹ，ＡＺが乗じられるものとし、式（４−１）ないし式（４−３）に従って測定値Ｘ２，Ｙ２，Ｚ２が算出される。
【００４８】
次に、図８で示すように、刺激値直読型のプローブ部Ｐ１側における画面に比較的小さい入力信号Ｌ１が与えられ、該刺激値直読型のプローブ部Ｐ１の出力から、図９で示すように、この入力信号Ｌ１でＲｅｄ，Ｇｒｅｅｎ，Ｂｌｕｅの各輝度が互いに等しくなるようにオフセット調整パラメータ値が設定され、オフセット調整が為される。続いて、前記図８で示すように、分光型のプローブ部Ｐｎ側における画面に比較的大きい入力信号Ｌ２が与えられ、この入力信号Ｌ２でもＲｅｄ，Ｇｒｅｅｎ，Ｂｌｕｅの各輝度が互いに等しくなるようにドライブ調整パラメータが設定され、ドライブ調整が為される。この結果、図１０で示すように、高輝度から低輝度までの全範囲で、入力信号が等しければ、色度が一定となるように調整することができる。したがって、このような調整のためには、前述のように低輝度領域から高輝度領域まで誤差の少ない測定が必要となる。こうして、最良な精度でホワイトバランス調整が実行される。
【００４９】
続いて、ディスプレイのクロストーク量を測定する場合について説明する。クロストークとは、ディスプレイの或る領域のみを発光させた場合に、その影響を受けて非発光領域が発光してしまう現象を言う。クロストーク量は、例えば発光領域と非発光領域との比で定義される。クロストークを測定する場合の表示パターンは、一般に図１１に示すように、表示領域のうち、中央が発光領域、それ以外が非発光領域となるものである。クロストークは、ディスプレイの電極などの関係で、発光領域の左右方向および上下方向に発生し易い。
【００５０】
このため、図１１に示すように中央に分光型のプローブ部Ｐｎが配置され、それ以外の４点に刺激値直読型のプローブ部Ｐ１〜Ｐ４が配置される。次に、画面全体に高輝度の白色パターンを表示して、総てのプローブ部Ｐ１〜Ｐ４，Ｐｎで測定が行われ、測定値が保存される。プローブ部Ｐｎの測定値に、プローブ部Ｐ１〜Ｐ４の測定値を用いて、前記式（３−１）ないし式（３−３）に従って刺激値直読型のプローブ部Ｐ１〜Ｐ４に対する校正係数ＡＸ，ＡＹ，ＡＺがそれぞれ算出され、保存される。これ以後、刺激値直読型のプローブ部Ｐ１〜Ｐ４の測定値Ｘ１，Ｙ１，Ｚ１は、この校正係数ＡＸ，ＡＹ，ＡＺが乗じられ、前記式（４−１）ないし式（４−３）に従う測定値Ｘ２，Ｙ２，Ｚ２となる。その後、図１１のように画面中央部のみ白色表示し、分光型のプローブ部Ｐｎによる中央部の測定値と、刺激値直読型のプローブ部Ｐ１〜Ｐ４による他４点の測定値との比が算出され、この算出結果がクロストークの値とされる。
【００５１】
このように構成することによって、高輝度領域を分光型のプローブ部Ｐｎで測定するとともに、低輝度領域を刺激値直読型のプローブ部Ｐ１〜Ｐ４で測定することによって、高精度にディスプレイのクロストークが測定される。また、プローブ部Ｐ１〜Ｐ４，Ｐｎを一度設置すればよいので、プローブ部が１つしかない測色計である場合に生じる該プローブ部の移動が無くなり、このような構成の測色計２１は、高速かつ簡便に測定することが可能となる。
【００５２】
以上のように、第１実施形態の測色計２１は、複数のプローブ部Ｐ１〜Ｐｎを有し、各プローブ部Ｐ１〜Ｐｎに共通の本体部２２を備えて構成され、多点を同時に測定可能な測色計であって、前記複数のプローブ部Ｐ１〜Ｐｎの内、多く（Ｐ１〜Ｐｎ−１）が刺激値直読型で構成される一方で、一部（Ｐｎ）が分光型で構成される。このため、その本体部２２は、高精度なその分光型のプローブ部Ｐｎでの測定結果を多数の刺激値直読型のプローブ部Ｐ１〜Ｐｎ−１の校正に用いて自動的に校正を行うことができ、第１実施形態の測色計２１は、パーソナルコンピュータ等の外部装置を用いることなく、また測定データの転送等のユーザ作業を必要とすることなく、校正を極めて容易に行うことができる。また、本体部２２には、所定の輝度閾値Ｌｃが設定され、本体部２２は、その輝度閾値Ｌｃ以上である場合には、前記高精度な分光型のプローブ部Ｐｎで測定を行い、輝度閾値Ｌｃ未満である場合は、光学系が簡素で、エネルギーロスが少なく、高感度な刺激値直読型のプローブ部Ｐ１〜Ｐｎ−１で測定を行う使い分けを行うことができる。
【００５３】
また、第１実施形態の測色計２１では、前記各プローブ部Ｐ１〜Ｐｎ−１；Ｐｎは、光学センサ部３，２３と、前記光学センサ部３，２３からの出力を増幅するアンプ４，２４と、前記アンプ４，２４からの出力をアナログ／デジタル変換するアナログ／デジタル変換部２５’，２５と、前記アナログ／デジタル変換部２５’，２５からの出力を予め定められる信号形式に変換して前記本体部２２へ出力するとともに、前記本体部２２からの測定指示に応答して測定動作を行う制御部２６’，２６と、校正係数ＡＸ，ＡＹ，ＡＺ；Ａを記憶するメモリ３３と、前記制御部２６’，２６と本体部２２との間に介在されるインタフェイス部２７とを備えて構成される。このため、前記刺激値直読型と分光型とで、測定方法が異なっても、信号形式を規定し、センサ部３，２３の種別を表す信号を電源投入時などで適宜に本体部２２へ送信しておくことで、本体部２２のコネクタＱへは、何れの型式のプローブ部Ｐ１〜Ｐｎ−１；Ｐｎも任意に脱着することができる。したがって、基本構成としては、前記のように多く（Ｐ１〜Ｐｎ−１）を刺激値直読型とするとともにその一部（Ｐｎ）を分光型としたり、総てを刺激値直読型としたり、また総てを分光型としたり、多くを分光型とするとともにその一部を刺激値直読型としたりするような任意の組合わせも可能になる。したがって、校正が終わると総てを刺激値直読型としたり、輝度が高い場合には総てを分光型としたり、輝度が低い場合には総てを刺激値直読型としたりするように、多様な測定を行うことができる。
【００５４】
（実施の形態２）
図１２は、本発明の実施の第２形態に係る測色計５１の電気的構成を示すブロック図である。図１３は、第２形態において、相互に異なる分光応答度のセンサを複数組合わせて所望とする分光応答度を有するセンサを構成する方法を説明するためのグラフである。図１４は、第２形態において、相互に異なる分光応答度のセンサを複数組合わせて所望とする分光応答度を有するセンサを構成する方法を説明するためのグラフである。図１２において、この測色計５１は、前述の測色計２１に類似し、対応する部分には同一の参照符号を付して示し、その説明を省略する。前述の測色計２１では、１台の本体部２２に複数台のプローブ部Ｐが装着されているのに対して、注目すべきは、この測色計５１では、複数のプローブ部Ｐ１，Ｐ２，・・・，Ｐｎが、個別に対応する本体部Ｓ１，Ｓ２，・・・，Ｓｎにそれぞれ接続されて１つのユニットを構成し、その複数台のユニットが相互に接続され、さらにその内の１台がマスター機となり、残余がスレーブ機となって、校正および測定を行うことである。前記マスター機には分光型プローブ部Ｐｎが接続される本体部Ｓｎが好ましく、この本体部Ｓｎは、校正モードにおいて、その測定結果を残余の本体部Ｓ１，Ｓ２，・・・，Ｓｎ−１に配信する。このように構成した場合、本体部Ｓ間のネットワーク構成が可能であれば、該本体部Ｓを必要に応じて増設し、プローブ部Ｐの数を拡張することができる。
【００５５】
上述の説明では、分光型のプローブ部Ｐｎの光学センサ部２３は、図２で示されるように、回折格子２３ｄにＣＣＤリニアセンサ２３ｆを用いる、いわゆる分光測色計の構成となっているが、構造的には前記図１９で示す刺激値直読型のプローブ部Ｐ１〜Ｐｎ−１の光学センサ部３に類似した構成で、４種類以上の分光応答度を有する測光機能を有する、すなわち４つ以上のフィルタ部および対応するセンサ部を備え、センサの一部出力を加算するなどの各センサの出力をそのまま出力せずに、演算を行って出力する必要のあるものを含むものとする。
【００５６】
例えば、３つの分光応答度を有するセンサを用い、１つの等色関数、例えばｙ（λ）に等しい分光応答度を有する測定を実現する例を、図１３および図１４を用いて説明する。測定器が、それぞれ、図１３において参照符号β１〜β３で示す分光応答度を有する３つのセンサを有しているとする。また、等色関数ｙ（λ）が参照符号β０で示す分光応答度に等しいとする。ここで、３つのセンサ出力の単純和（すなわち、各センサの増幅率が１）を信号として取り出すと、前記参照符号β１〜β３で示す分光応答度の和である参照符号β４で示す分光応答度となる。この場合、参照符号β０で示す等色関数ｙ（λ）とは一致しない。
【００５７】
そこで、前記参照符号β１〜β３で示す３つの分光応答度に、それぞれ、０．３，１．０，１．７を乗じると、その分光応答度は、図１４において参照符号β１’〜β３’で示すようにそれぞれ変化し、和をとると、参照符号β４’で示すように、β０で示す等色関数ｙ（λ）に等しくなる。こうして、複数のセンサ出力に任意の係数を掛け、信号和を取り出すことで、所望とする分光応答度を有するセンサを構成することができる。一般に、このような複数のセンサの出力を合算で作成した分光応答度は、既定の等色関数に完全に一致させることは難しいが、刺激値直読型の測定器の分光応答度と比較すると、より誤差の小さい分光応答度を形成させることが可能である。
【００５８】
（実施の形態３）
図１５および図１６は、本発明の実施の第３形態に係る測色計２１ａ，５１ａの電気的構成を示すブロック図である。これらの測色計２１ａ，５１ａは、前述の測色計２１，５１にそれぞれ類似し、対応する部分には同一の参照符号を付して示し、その説明を省略する。注目すべきは、これらの測色計２１ａ，５１ａでは、各ケーブルＬ１〜Ｌｎ内には、各プローブ部に共通に接続されるタイミング信号ラインＬ１ａ，Ｌ２ａ〜Ｌｎａが設けられており、本体部２２ａ；Ｓ１ａ〜Ｓｎａのインタフェイス部２８ａ，５２ａから各プローブ部Ｐ１ａ〜Ｐｎａのインタフェイス部２７ａには、測定開始および終了のタイミング信号が送信される。
【００５９】
したがって、制御部２９からソフトウェアで測定開始および終了のタイミングを制御する場合、各プローブ部Ｐ１ａ〜Ｐｎａを完全に同期させて測定を行わせることは困難であるのに対して、この専用のタイミング信号ラインＬ１ａ，Ｌ２ａ〜Ｌｎａを用いてハードウェアで同期を得ることで、各プローブ部Ｐ１ａ〜Ｐｎａを完全に同期させて測定を行わせることができる。
【００６０】
（実施の形態４）
図１７は、本発明の実施の第４形態に係る測色計の校正動作を説明するためのフローチャートである。本実施の形態には、前述の測色計２１の構成を用いることができ、本体部２２の制御部２９の動作が前記図４と異なる。この図１７は、任意のプローブ部間で校正を行うものであり、刺激値直読型のプローブ部Ｐ１〜Ｐｎ−１同士で校正を行う場合も含む。ただし、刺激値直読型のプローブ部Ｐ１〜Ｐｎ−１の測定結果で、分光型プローブ部Ｐｎの校正は行われない。
【００６１】
図１７において、ステップＳ５１で複数のプローブ部Ｐが装着されているか否かが判断され、装着されていない場合には通常の測定モードが実行され、複数のプローブ部Ｐが装着されている場合には、さらにステップＳ５２でプローブ間校正モードが選択されているか否かが判断され、選択されていない場合には通常の測定モードが実行され、選択されている場合にはステップＳ５３以降の校正動作が実行される。前記通常の測定モードは、図４のステップＳ１以降の処理で、Ｓ１，Ｓ２，Ｓ１２で装着されているプローブ部Ｐの種類が判定され、Ｓ３以降またはＳ１３以降の測定処理に移るが、ステップＳ１，Ｓ１２で両方のプローブ部Ｐ１〜Ｐｎ−１；Ｐｎが検出された後は、ステップＳ２２〜Ｓ２６の校正モードに移らず、直接ステップＳ２７の測定に移る。
【００６２】
ステップＳ５３では、参照（基準）側となるプローブ部Ｐで測定が行われ、制御部２６，２６’から、測定値（分光放射輝度Ｓ’（λ）および測定値Ｘ，Ｙ，Ｚ）が取得される。ステップＳ５４では、校正側となるプローブ部で測定が行われ、制御部２６’から、アナログ／デジタル変換値（測定値Ｘ１，Ｙ１，Ｚ１）が、そのまま取得される。続いてステップＳ５５では、前記測定値Ｘ，Ｙ，Ｚから前記式（２−１）ないし式（２−３）で逆変換して求めた測定値Ｘ’，Ｙ’，Ｚ’と、前記アナログ／デジタル変換値（測定値Ｘ１，Ｙ１，Ｚ１）とから、前記校正係数（ＡＸ，ＡＹ，ＡＺ）が求められる。その校正係数（ＡＸ，ＡＹ，ＡＺ）は、ステップＳ５６でメモリ３３に設定された後、通常の測定モードに移る。
【００６３】
こうして、任意のプローブ部間で校正を行うことができる。
【００６４】
なお、本件発明に関して、分光型のプローブ部および刺激値直読型のプローブ部の出力を、本体部側に設置したアナログ／デジタル器でデジタル変換するようにしてもよい。
【００６５】
本明細書は、上記のように様々な態様の技術を開示しているが、そのうち主な技術を以下に纏める。
【００６６】
一態様にかかる測光測色装置は、複数のプローブ部と、前記複数のプローブ部に対して共通な本体部とを備える測光測色装置であって、前記複数のプローブ部のうちの一部は、分光型の第１光学センサ部を備える分光型の第１プローブ部であるとともに、その残余は、刺激値直読型の第２光学センサ部を備える刺激値直読型の第２プローブ部であり、前記第１および第２プローブ部のそれぞれは、前記本体部との間に介在するインタフェイス部と、前記本体部からの測定指示に応答して測定動作を行う制御部とを備え、前記本体部は、前記複数のプローブ部のそれぞれに、前記インタフェイス部を介して、前記測定指示を送る本体制御部を備える。そして、他の一態様にかかる測光測色装置は、複数のプローブ部と、前記複数のプローブ部に個別にそれぞれ対応し、相互に連携する複数の本体部とを備える測光測色装置であって、前記複数のプローブ部のうちの一部は、分光型の第１光学センサ部を備える分光型の第１プローブ部であるとともに、その残余は、刺激値直読型の第２光学センサ部を備える刺激値直読型の第２プローブ部であり、前記第１および第２プローブ部のそれぞれは、対応する前記本体部との間に介在するインタフェイス部と、対応する前記本体部からの測定指示に応答して測定動作を行う制御部とを備え、前記複数の本体部のそれぞれは、本体インタフェイス部と、対応する前記プローブ部に、前記インタフェイス部を介して、前記測定指示を送る本体制御部を備える。
【００６７】
このような構成の測光測色装置は、例えば色度計や分光測色計などとして実現され、複数のプローブ部を有し、各プローブ部に共通の本体部を備えて構成され、または複数のプローブ部と、それに個別に対応し、相互に連携する本体部とを備えて構成され、多点を同時に測定可能な測光測色装置である。そして、前記複数のプローブ部が、主に刺激値直読型で構成される中で、一部に分光型で構成される。なお、光学系以外に、前記刺激値直読型のプローブ部は、ＲＧＢの各色フィルタおよび受光センサを備えるものとし、分光型のプローブ部は、回折格子やＣＣＤラインセンサにように分光測色計の構成以外に、４種類以上の分光応答度を有する測光機能を有する、すなわち４つ以上の色フィルタおよびセンサを備え、センサの一部出力を加算するなどの各センサの出力をそのまま出力できず、演算を行って出力する必要のあるものを含むものとする。
【００６８】
このように複数のプローブ部の一部に分光型のプローブ部が含まれることで、本体部は、高精度なその分光型での測定結果を、刺激値直読型のプローブ部の校正に用いることができ、校正を容易に行うことができる。また、本体部は、所定の輝度閾値を設定し、その閾値以上である場合は、前記高精度な分光型のプローブ部で測定を行い、閾値未満である場合は、光学系が簡素で、エネルギーロスが少なく、高感度な刺激値直読型のプローブ部で測定を行うというような使い分けを行うことができる。
【００６９】
また、他の一態様では、上述の測光測色装置において、前記各プローブ部は、前記光学センサ部の出力をアナログ／デジタル変換する信号変換器と、前記信号変換器からの出力を予め定められる信号形式に変換して前記本体部へ出力するとともに、前記本体部からの測定指示に応答して測定動作を行う制御部と、前記制御部と本体部との間に介在されるインタフェイス部とを備えて構成される。
【００７０】
この構成によれば、前記刺激値直読型と分光型とで、測定方法が異なっても、信号形式を規定しておくことで、本体部のコネクタへは、何れの型式のプローブ部も任意に脱着することができ、基本構成としては、前記のように多くを刺激値直読型とし一部を分光型としたり、総て刺激値直読型や分光型としたり、多くを分光型とし一部を刺激値直読型としたりするような任意の組合わせも可能になる。
【００７１】
したがって、このような構成の測光測色装置は、校正が終わると総て刺激値直読型としたり、輝度が高い場合には総て分光型、低い場合には総て刺激値直読型とするように、多様な測定を行うことができる。
【００７２】
また、他の一態様では、上述の測光測色装置において、前記第１および第２プローブ部のそれぞれにおける各制御部は、前記光学センサ部の種別を表す識別信号を、対応する前記本体部へ出力し、前記本体制御部は、前記インタフェイス部を介して受信された前記識別信号から光学センサ部の種別を検出し、検出された種別に応じて校正動作または測定動作を制御する。
【００７３】
この構成によれば、前記刺激値直読型と分光型とで、光学センサ部の種別を表す識別信号を本体部へ送信することで、該本体部の本体制御部は、何れの型式のプローブ部であるかを自動的に認識し、接続されたプローブ部に応じて測定動作を制御することができる。
【００７４】
また、他の一態様では、上述の測光測色装置において、好ましくは、前記本体制御部は、前記識別信号から分光型のプローブ部を検出した場合に、その測定値を用いて刺激値直読型のプローブ部の校正を実行する校正モードを選択可能にする。また、他の一態様では、上述の測光測色装置において、好ましくは、前記本体制御部は、複数の刺激値直読型のプローブ部を検出した場合に、該刺激値直読型のプローブ部のいずれか１つの測定値を用いて、残余の校正を実行する校正モードを選択可能にする。また、他の一態様では、上述の測光測色装置において、好ましくは、前記本体制御部は、前記識別信号から分光型のプローブ部を検出した場合に、刺激値直読型のプローブ部による測定と、該分光型のプローブ部による測定とを、測定対象光の測光測色情報に応じて切換えるモードを選択可能にする。
【００７５】
また、他の一態様では、上述の測光測色装置において、前記第１および第２プローブ部のそれぞれにおけるインタフェイス部と前記本体インタフェイス部とは、前記光学センサ部の出力信号を送信する信号線と同期信号線とを介して接続されている。また、他の一態様では、上述の測光測色装置において、前記第１および第２プローブ部のそれぞれにおけるインタフェイス部と、対応する前記本体インタフェイス部とは、前記光学センサ部の出力信号を送信する信号線と同期信号線とを介して接続されている。
【００７６】
これらの構成によれば、専用の同期信号線を用いてハードウェアで同期を得ることによって、各プローブ部を完全に同期させて測定を行わせることができる。
【００７７】
また、他の一態様では、上述の測光測色装置において、測定を開始するための測定ボタン（ＳＷ）を前記第１および前記第２プローブ部に設けて、本体制御部は前記測定ボタンの操作が検出されるまで測定を待機させている。
【００７８】
この構成によれば、前記第１プローブ部または前記第２プローブ部の測定ボタン（ＳＷ）が操作されると、本体制御部は測定ボタンが操作されたプローブ部または全部のプローブ部に対して測定指示を送ることにより、校正動作または測定動作が実行される。これにより、操作者は操作中のプローブ部の位置で測定開始の指示ができる。
【００７９】
この出願は、２００８年８月２２日に出願された日本国特許出願特願２００８−２１４０９３を基礎とするものであり、その内容は、本願に含まれるものである。
【００８０】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【００８１】
本発明によれば、複数のプローブを装着可能な測光測色装置を提供することができる。
【図１】
2010021258.tif 000003
【図２】
2010021258.tif 000004
【図３】
2010021258.tif 000005
【図４】
2010021258.tif 000006
【図５】
2010021258.tif 000007
【図６】
2010021258.tif 000008
【図７】
2010021258.tif 000009
【図８】
2010021258.tif 000010
【図９】
2010021258.tif 000011
【図１０】
2010021258.tif 000012
【図１１】
2010021258.tif 000013
【図１２】
2010021258.tif 000014
【図１３】
2010021258.tif 000015
【図１４】
2010021258.tif 000016
【図１５】
2010021258.tif 000017
【図１６】
2010021258.tif 000018
【図１７】
2010021258.tif 000019
【図１８】
2010021258.tif 000020
【図１９】
2010021258.tif 000021
【図２０】
2010021258.tif 000022
【図２１】
2010021258.tif 000023
【国際調査報告】
2010021258.tif 000024
2010021258.tif 000025
2010021258.tif 000026
2010021258.tif 000027
2010021258.tif 000028
2010021258.tif 000029